【手続補正書】
【提出日】平成26年8月26日(2014.8.26)
【手続補正１】
【補正対象書類名】特許請求の範囲
【補正対象項目名】全文
【補正方法】変更
【補正の内容】
【特許請求の範囲】
【請求項１】
装置本体に設けられた扉の開閉を検知する扉開閉検知手段と、
記録媒体に形成された画像に光を照射する照射手段と、前記照射手段より照射され記録媒体で反射された光を受光する受光手段と、を備えて、前記受光手段の受光結果に基づいて記録媒体に形成された画像の欠陥を検出する欠陥検出装置と、
予め定めたタイミングで前記照射手段から光を照射して行われる前記欠陥検出装置のキャリブレーション中に、前記扉開閉検知手段によって扉の開放が検知された場合に、前記照射手段による光の照射を継続した状態で前記キャリブレーションを中断し、予め定めた条件に基づいて、中断した前記キャリブレーションを中止して前回のキャリブレーション結果を流用する処理、中断した前記キャリブレーションを再開する処理、又は前記キャリブレーションを最初からやり直す処理の何れかを選択して実行するように前記欠陥検出装置を制御する制御手段と、
を備えた画像形成装置。
【請求項２】
前記制御手段は、前記予め定めた条件として、前記扉開閉検知手段による扉の開放の検知が前回の前記キャリブレーションから予め定めた時間以内で、かつ前記扉開閉検知手段によって扉の閉が検知された場合に、中断した前記キャリブレーションを中止して前回のキャリブレーション結果を流用する処理を実行するように前記欠陥検出装置を制御する請求項１に記載の画像形成装置。
【請求項３】
前記制御手段は、前記予め定めた条件として、前記扉開閉検知手段による扉の開放の検知が前回の前記キャリブレーションから予め定めた時間以上経過し、かつ扉の開閉期間中に前記欠陥検出装置の前記欠陥の検出条件が変わらない場合に、中断した前記キャリブレーションを再開する処理を実行するように前記欠陥検出装置を制御する請求項１又は請求項２に記載の画像形成装置。
【請求項４】
前記制御手段は、前記予め定めた条件として、前記扉開閉検知手段による扉の開放の検知が前回の前記キャリブレーションから予め定めた時間以上経過し、かつ扉の開閉期間中に前記欠陥検出装置の前記欠陥の検出条件が変化する場合に、前記キャリブレーションを最初からやり直す処理を実行するように前記欠陥検出装置を制御する請求項１〜３の何れか１項に記載の画像形成装置。
【請求項５】
前記制御手段は、前記欠陥検出装置による前記欠陥の検出中に、前記扉開閉検知手段によって扉の開放が検知された場合に、前記照射手段による光の照射を継続した状態で前記欠陥の検出を中断し、予め定めた再開条件に基づいて、中断した前記欠陥の検出を再開する処理、または前記欠陥の検出を最初からやり直す処理の何れかを選択して実行するように前記欠陥検出装置を更に制御する請求項１〜４の何れか１項に記載の画像形成装置。
【請求項６】
前記制御手段は、前記再開条件として、扉の開閉期間中に前記欠陥検出装置の前記欠陥の検出条件が変わらない場合に、中断した前記欠陥の検出を再開する処理を実行するように前記欠陥検出装置を制御する請求項５に記載の画像形成装置。
【請求項７】
前記制御手段は、前記再開条件として、扉の開閉期間中に前記欠陥検出装置の前記欠陥の検出条件が変化する場合に、前記欠陥の検出を最初からやり直す処理を実行するように前記欠陥検出装置を制御する請求項５又は請求項６に記載の画像形成装置。
【請求項８】
前記制御手段は、前記扉開閉検知手段によって扉の開放が検知され、前記欠陥検出装置が引き出されたときに、前記照射手段による光の照射を停止するように前記照射手段を制御する請求項１〜７の何れか１項に記載の画像形成装置。
【請求項９】
前記制御手段は、前記扉開閉検知手段によって扉の開放が検知され、前記欠陥の検出条件が変化する場合には、前記照射手段による光の照射を停止するように前記照射手段を制御する請求項１〜８の何れか１項に記載の画像形成装置。
【請求項１０】
前記欠陥検出装置が、予め定めた基準面を複数備えた回転可能な基準ロールを更に備え、前記制御手段が、前記扉開閉検知手段によって扉の開放が検知された後に、扉の閉が検知された場合に、目標の前記基準面へ回転するように前記基準ロールを更に制御する請求項１〜９の何れか１項に記載の画像形成装置。
【請求項１１】
記録媒体に形成された画像に光を照射する照射手段と、前記照射手段より照射され記録媒体で反射された光を受光する受光手段と、を備えて、前記受光手段の受光結果に基づいて記録媒体に形成された画像の欠陥を検出する欠陥検出装置の予め定めたタイミングで前記照射手段から光を照射して行われるキャリブレーション中に、装置本体に設けられた扉の開閉を検知する扉開閉検知手段によって扉の開放が検知された場合に、前記照射手段による光の照射を継続した状態で前記キャリブレーションを中断する中断ステップと、
予め定めた条件に基づいて、中断した前記キャリブレーションを中止して前回のキャリブレーション結果を流用、中断した前記キャリブレーションを再開、又は前記キャリブレーションを最初からやり直しの何れかを選択して実行するように前記欠陥検出装置を制御する制御ステップと、
を含む処理をコンピュータに実行させるためのキャリブレーションプログラム。
【手続補正２】
【補正対象書類名】明細書
【補正対象項目名】０００６
【補正方法】変更
【補正の内容】
【０００６】
請求項１に記載の画像処理装置は、装置本体に設けられた扉の開閉を検知する扉開閉検知手段と、記録媒体に形成された画像に光を照射する照射手段と、前記照射手段より照射され記録媒体で反射された光を受光する受光手段と、を備えて、前記受光手段の受光結果に基づいて記録媒体に形成された画像の欠陥を検出する欠陥検出装置と、予め定めたタイミングで前記照射手段から光を照射して行われる前記欠陥検出装置のキャリブレーション中に、前記扉開閉検知手段によって扉の開放が検知された場合に、前記照射手段による光の照射を継続した状態で前記キャリブレーションを中断し、予め定めた条件に基づいて、中断した前記キャリブレーションを中止して前回のキャリブレーション結果を流用する処理、中断した前記キャリブレーションを再開する処理、又は前記キャリブレーションを最初からやり直す処理の何れかを選択して実行するように前記欠陥検出装置を制御する制御手段と、を備えることを特徴としている。
【手続補正３】
【補正対象書類名】明細書
【補正対象項目名】００１０
【補正方法】変更
【補正の内容】
【００１０】
請求項５に記載の発明は、請求項１〜４の何れか１項に記載の発明において、前記制御手段は、前記欠陥検出装置による前記欠陥の検出中に、前記扉開閉検知手段によって扉の開放が検知された場合に、前記照射手段による光の照射を継続した状態で前記欠陥の検出を中断し、予め定めた再開条件に基づいて、中断した前記欠陥の検出を再開する処理、または前記欠陥の検出を最初からやり直す処理の何れかを選択して実行するように前記欠陥検出装置を更に制御することを特徴としている。
【手続補正４】
【補正対象書類名】明細書
【補正対象項目名】００１６
【補正方法】変更
【補正の内容】
【００１６】
請求項１１に記載の発明は、記録媒体に形成された画像に光を照射する照射手段と、前記照射手段より照射され記録媒体で反射された光を受光する受光手段と、を備えて、前記受光手段の受光結果に基づいて記録媒体に形成された画像の欠陥を検出する欠陥検出装置の予め定めたタイミングで前記照射手段から光を照射して行われるキャリブレーション中に、装置本体に設けられた扉の開閉を検知する扉開閉検知手段によって扉の開放が検知された場合に、前記照射手段による光の照射を継続した状態で前記キャリブレーションを中断する中断ステップと、予め定めた条件に基づいて、中断した前記キャリブレーションを中止して前回のキャリブレーション結果を流用、中断した前記キャリブレーションを再開、又は前記キャリブレーションを最初からやり直しの何れかを選択して実行するように前記欠陥検出装置を制御する制御ステップと、を含む処理をコンピュータに実行させることを特徴としている。